(57)【要約】【課題】表示機器側の要求により異なる静止画像を同時に転送するとともに、送信データ量を減少させることにある。【解決手段】ネットワークを介して、制御ＰＣ１０１と表示機器１０２〜１０５を接続し、制御ＰＣから表示機器に同時に静止画像を伝送，表示するにあたり、制御ＰＣに複数の表示機器に同時に異なる静止画像を伝送，表示するための画像情報および表示機器情報を設定する設定ユニット２０１を設け、一方複数の表示機器の各々には、画像情報,表示機器情報をデコードするデコード部を備える。これにより、各表示機器は受信データを判別して表示する。【選択図】      図２
2005051555.tif 000002
【特許請求の範囲】
【請求項１】
有線もしくは無線ネットワークを介して、1台の制御パソコンと複数の表示機器を接続し、前記制御パソコンから前記複数の表示機器に同時に静止画像を伝送，表示する画像伝送システムにおいて、前記制御パソコンは、前記複数の表示機器に同時に異なる静止画像を伝送，表示するための画像情報および表示機器情報を設定する設定ユニットを有し、前記複数の表示機器の各々は、前記画像情報および前記表示機器情報をデコードするデコード部を備え、受信データを判別して表示することを特徴とする画像伝送システム。
【請求項２】
前記制御パソコンは、ユーザの操作により前記画像情報および前記表示機器情報を設定する前記設定ユニットと、前記設定ユニットにより設定された前記画像情報および前記表示機器情報に基ずいてそれぞれ送出するための画像データおよび機器データを作成する画像データ生成部および機器データ生成部と、前記画像データ生成部および前記機器データ生成部の各データを合成して送信するデータを作成する送信データ生成部と、前記送信データ生成部で合成した送信データを一時記憶するデータバッファと、前記送信データ生成部で合成した送信データを前記ネットワークに送出するデータ送信部とを備えることを特徴とする請求項１記載の画像伝送システム。
【請求項３】
前記複数の表示機器の各々は、前記ネットワークを介して入力データを受信するデータ受信部と、前記データ受信部で受信したデータより機器を判別するための機器判別部および画像データをデコードするための画像データデコード部を含んだ前記デコード部と、前記表示機器に設定される判別情報および設定を登録しておく機器判別情報登録部と、前記画像データデコード部の出力を表示する画像表示部とを備えることを特徴とする請求項１記載の画像伝送システム。
【請求項４】
前記制御パソコンは、表示機器一覧画面を構成するに当たり、前記表示機器のＩＰアドレスと、機器名と、使用状態とを登録することを特徴とする請求項１記載の画像伝送システム。
【請求項５】
前記制御パソコンは、スライドショー設定画面を構成するに当たり、共通データか機器別データのいずれを送信するかを選択する送信方法設定部と、自動送り，手動送りおよびエンドレス再生のいずれかを選択する再生方法設定部と、送信するデータの切り替え時間を設定する切り替え時間設定部とを登録することを特徴とする請求項１記載の画像伝送システム。
【請求項６】
前記送信データは、それぞれ異なる機器データおよびそれぞれ異なる画像データを含んで構成されることを特徴とする請求項２記載の画像伝送システム。
【発明の詳細な説明】
【技術分野】
【０００１】
本発明は画像伝送システムに関し、特に1台の制御パソコンからネットワークを介して複数の映像出力装置（表示機器）に同時に静止画像を伝送，表示する画像伝送システムに関する。
【背景技術】
【０００２】
従来の画像伝送システムでは、1台の制御パソコン（ＰＣ）から同時に複数の映像出力装置（表示機器）に静止画像を伝送，表示する場合、全ての装置に同じ画像を伝送，表示している。
【０００３】
例えば、パソコンなどで構成した１つのサーバとネットワークを介して接続される複数のクライアント間でデータを転送，表示し、遠隔地とのプレゼンテーションを可能にしている（特許文献１参照）。
【０００４】
また、ネットワークを介した電子会議システムとしては、1つのサーバと複数のコミュニケータを用いて情報転送を行う情報処理システムが知られている（特許文献２参照）。
【０００５】
【特許文献１】特開２００２−２８８０９８号公報（第３，４頁、図１）
【０００６】
【特許文献２】特開２００３−８７７２７号公報（第４，５頁、図１）
【発明の開示】
【発明が解決しようとする課題】
【０００７】
上述した従来の画像を伝送するシステムは、サーバや制御パソコンから複数の表示機器に静止画像を同時に伝送する場合、同じ画像しか送る事ができず、サービスの低下などを招くという欠点がある。
【０００８】
また、従来の画像伝送システムは、1台の制御パソコンで複数の表示機器を制御する場合、同じ画像データを複数回送信していたので、送信データ量が機器数に応じて増大してしまうという欠点がある。
【０００９】
本発明の目的は、これらサービスの低下を招くことなく、表示機器側の要求により異なる静止画像を同時に転送することができ、しかも送信データ量を減少させることのできる画像伝送システムを提供することにある。
【課題を解決するための手段】
【００１０】
本発明は、有線もしくは無線ネットワークを介して、1台の制御パソコンと複数の表示機器を接続し、前記制御パソコンから前記複数の表示機器に同時に静止画像を伝送，表示する画像伝送システムにおいて、前記制御パソコンは、前記複数の表示機器に同時に異なる静止画像を伝送，表示するための画像情報および表示機器情報を設定する設定ユニットを有し、前記複数の表示機器の各々は、前記画像情報および前記表示機器情報をデコードするデコード部を備え、受信データを判別して表示することを特徴としている。
【００１１】
また、本発明における前記制御パソコンは、ユーザの操作により前記画像情報および前記表示機器情報を設定する前記設定ユニットと、前記設定ユニットにより設定された前記画像情報および前記表示機器情報に基ずいてそれぞれ送出するための画像データおよび機器データを作成する画像データ生成部および機器データ生成部と、前記画像データ生成部および前記機器データ生成部の各データを合成して送信するデータを作成する送信データ生成部と、前記送信データ生成部で合成した送信データを一時記憶するデータバッファと、前記送信データ生成部で合成した送信データを前記ネットワークに送出するデータ送信部とを備えることを特徴としている。
【００１２】
また、本発明における前記複数の表示機器の各々は、前記ネットワークを介して入力データを受信するデータ受信部と、前記データ受信部で受信したデータより機器を判別するための機器判別部および画像データをデコードするための画像データデコード部を含んだ前記デコード部と、前記表示機器に設定される判別情報および設定を登録しておく機器判別情報登録部と、前記画像データデコード部の出力を表示する画像表示部とを備えることを特徴としている。
【００１３】
また、本発明における前記制御パソコンは、表示機器一覧画面を構成するに当たり、前記表示機器のＩＰアドレスと、機器名と、使用状態とを登録することを特徴としている。
【００１４】
また、本発明における前記制御パソコンは、スライドショー設定画面を構成するに当たり、共通データか機器別データのいずれを送信するかを選択する送信方法設定部と、自動送り，手動送りおよびエンドレス再生のいずれかを選択する再生方法設定部と、送信するデータの切り替え時間を設定する切り替え時間設定部とを登録することを特徴としている。
【００１５】
また、本発明における前記送信データは、それぞれ異なる機器データおよびそれぞれ異なる画像データを含んで構成されることを特徴としている。
【発明の効果】
【００１６】
本発明の画像伝送システムは、1台の制御ＰＣで複数の表示機器を制御することにより、複数の表示機器の異なる画像を同期をとって切り替えることが容易になるという効果がある。
【００１７】
また、本発明の画像伝送システムは、別々の表示機器で共通の画像を表示する場合には、送信データ中の機器データに複数の表示機器を指定するデータを追加することにより、同じ画像データを複数回送信することが無くなるので、1台の制御ＰＣで複数の表示機器を制御する場合の送信データ量を減らすことができるという効果がある。
【発明を実施するための最良の形態】
【００１８】
本発明は、有線もしくは無線ネットワークを介して、1台の制御パソコン（ＰＣ）から同時に複数の表示機器に、異なる静止画像を伝送および表示するシステムである。
【００１９】
例えば、操作者はあらかじめ制御ＰＣに登録しておいた映像表示機器毎に送信画像を設定する。これにより、制御ＰＣは、操作者の設定した情報に基づいて送信データを生成し、複数の映像表示機器に同時に送信する。一方、映像表示機器は、制御ＰＣからの送信データを受信し、受信した画像データをデコードして自身に送信された画像データであるか否かを判別することにより、画像表示部に画像を表示する。
【００２０】
このようにして、1台の制御ＰＣから同時に複数の映像表示機器に、異なる静止画像を伝送，表示することを可能にする。
【実施例１】
【００２１】
以下、本発明の実施例について、図面を参照して説明する。
【００２２】
図１は本発明の概要を説明するための画像伝送システムのブロック図である。図１に示すように、本実施例における画像伝送システムは、表示手段に対する各種の情報を設定すると共に、各種の制御項目を設定登録する制御ＰＣ１０１と、この制御ＰＣ１０１から送信される画像を表示するための１台もしくは複数台の表示機器（Ａ〜Ｎ）１０２，１０３，１０４，１０５と、これら制御ＰＣ１０１および表示機器１０２〜１０５とを有線もしくは無線手段により接続するためのネットワーク１０６とから構成される。なお、表示機器１０２〜１０５のうち、任意の半分は有線により、また残りの半分は無線によりネットワーク１０６と接続することも可能である。
【００２３】
図２は本発明の実施例を説明するための制御ＰＣのブロック構成図である。図２を参照すると、制御ＰＣ１０１は、ユーザ操作により画像情報および表示機器情報を登録するための設定ユニット２０１と、この設定ユニット２０１で設定された画像情報から送信すべき画像データを生成する画像データ生成部２０２と、設定ユニット２０１で設定された表示機器情報から機器データを生成する機器データ生成部２０３と、画像データ生成部２０２および機器データ生成部２０３で生成されたデータを結合して送信データを生成する送信データ生成部２０４と、送信データ生成部２０４で生成された画像データを一時的に蓄積しておくデータバッファ部２０５と、送信データ生成部２０４で生成されたデータを1台もしくは複数の表示機器に送信するデータ送信部２０６とから構成される。ここで、設定ユニット２０１はアプリケーションソフトで実現することも可能である。
【００２４】
図３は本発明の実施例を説明するための表示機器のブロック構成図である。図３を参照すると、表示機器（Ｎ）１０５は、制御ＰＣ１０１から送信された送信データを受信するデータ受信部３０１と、機器判別部および画像データデコード部を備え、受信したデータをデコードして自身に送られたデータか否かを判別し、自身に送られたデータと判別したときのみ画像データをデコードするデコード部３０２と、自身に送られてきたことを判別するためにそれぞれの表示機器にユニークに設定される判別情報および通信に必要な設定を登録しておく機器判別情報登録部３０３と、デコード部３０２でデコードされた画像を表示する画像表示部３０４とから構成される。
【００２５】
次に、制御パソコン１０１における表示機器データ設定ユニット２０１の設定動作について、図４〜図７を参照して説明する。
【００２６】
図４は図１,図２における制御パソコンの表示機器一覧画面を表わす図である。図４に示すように、この表示機器一覧画面４０１の設定は、通信のために必要となるアプリケーションプログラムの設定画面であり、例えば表示機器としての機器名がプロジェクタ００１についてみると、ＩＰアドレス（ｘｘｘ．ｘｘｘ．ｘｘｘ．ｘｘｘ．）と表示機器としての使用可否状態（使用可能）を表示機器情報４０１Ａとして制御ＰＣ１０１上で設定登録する。これによって、表示機器のアドレスと使用状態が登録される。
【００２７】
図５は図１,図２における制御パソコンのスライドショー設定画面を表わす図である。図５に示すように、このスライドショー設定画面５０１は、表示機器に対し共通のデータを送信する共通データ送信方式か、あるいは機器別に異なったデータを送信する機器別データ送信方式かを設定する送信方法設定部５０１Ａと、自動送りか、手動送りもしくはエンドレス再生かを設定する再生方法設定部５０１Ｂと、データ送出のための切り替え時間または切り替え時間間隔を指定する切り替え時間指定部５０１Ｃとを備えている。これによって、表示機器に対する送信方法、再生方法および切り替え時間が登録される。
【００２８】
なお、上述した「スライドショー」とは、例えばプレゼンテーション等で複数枚の画像を手動または自動で順番に表示していく機能である。具体的には、スライド投影機で画像を順送り、あるいは逆送りするような感じで表示する。スライドショー設定画面は、上述した「スライドショー」に使用する画像の登録、順番の設定や自動送りの際の表示時間間隔等を設定するための画面である。
【００２９】
図６（ａ）〜（ｃ）はそれぞれ図１における表示機器に共通のデータを送信するときの制御パソコンの画像設定画面図，送信画像登録部のデータ構成図および送信データフォーマット図である。まず、図６（ａ）に示すように、制御ＰＣ１０１における画像設定画面６０１は、表示機器ごとの設定を行う画面、例えば上述したスライドショーなどの設定を行う画面であり、プロジェクタ００１〜００３を登録する表示機器部６０１Ａと、画像再生ボタン,停止ボタン,一時停止ボタンの機能を表わす操作ボタン部６０２と、送信画像を登録するための送信画像登録部６０１Ｂと、全画像表示部６０１Ｃとを備えている。すなわち、ここでは格納画像データ一覧（Ｐ０１〜Ｐ０６）６０１Ｃに格納されている画像を送信するための送信画像を送信画像登録部（Ａ−１〜Ａ−６）６０１Ｂにそれぞれ登録しておく。
【００３０】
ついで、図６（ｂ）に示すように、送信画像登録部６０１Ｂの1つの登録部Ａ−1（Ｐ０１）に登録されたデータ６０３の構成情報と、データをどの機器（Ａ〜Ｃ）に表示するかを指定した表示機器データと、実際に表示する画像データが登録されている送信画像登録部（Ａ―１）の情報とを含んでいる。なお、データ６０４についても同様、データ構成情報と、データをどの機器（Ａ〜Ｃ）に表示するかを指定した表示機器データと、実際に表示する画像データが登録されている送信画像登録部（Ａ―２）の情報とを含んでいる。
【００３１】
このように設定された画像データは、図６（ｃ）に示すように、送信データ６０５として、制御ＰＣ１０１から表示機器に共通に送出される。すなわち、制御ＰＣ内に格納されている画像表示部Ｐ０１のデータを画像データ登録部Ａ―１に、同様にＰ０２のデータを画像データ登録部Ａ―２に、Ｐ０３のデータをＡ―３に、Ｐ０４のデータをＡ―４に、Ｐ０５のデータをＡ―５に、Ｐ０５のデータをＡ―５に、Ｐ０６のデータをＡ―６に、それぞれ登録される。要するに、制御ＰＣ１０１内に格納されている画像データＰ０１〜Ｐ０６，・・・の中から表示機器Ａ，Ｂ，Ｃ，・・・Ｎに送信する画像を選択して登録部Ａ−１〜Ａ−６に登録する。その結果、共通の送信データ６０５がこれらの表示機器（Ａ，Ｂ，Ｃ，・・・Ｎ）６０１Ａ、すなわちプロジェクタ００１，００２，００３に送信される。
【００３２】
図７（ａ）〜（ｃ）はそれぞれ図１における表示機器に異なるデータを送信するときの制御パソコンの画像設定画面図，送信画像登録部のデータ構成図および送信データフォーマット図である。図７（ａ）に示すように、この画像設定画面７０１においては、プロジェクタごとにタイミングを６つに分割したものである。つまり、タイミング１においては、Ａ―１,Ｂ―１,Ｃ―１を、またタイミング２においては、Ａ―２,Ｂ―２,Ｃ―２を、同様にタイミング６においては、Ａ―６,Ｂ―６,Ｃ―６を単位として考える点が、前述した図６の場合とは異なっている。
【００３３】
また、図７（ｂ）に示すように、送信画像登録部のデータ構成７０３,７０４,７０５は、それぞれデータＡ―１, Ａ―３,Ｂ―３の場合を示している。
【００３４】
このように設定された画像データは、図７（ｃ）に示すように、送信データ７０６として、制御ＰＣ１０１から表示機器に送出される。
【００３５】
上述したように、制御ＰＣ１０１の設定ユニット２０１は、図４〜図７を参照すれば明らかなように、制御ＰＣ１０１からの送信データにより画像を表示する表示機器を登録する表示機器一覧画面４０１と、画像送信方法や画像再生方法を設定するためのスライドショー設定画面５０１と、複数の表示機器に送信して表示する画像を登録するための画像設定画面６０１および７０１と、画像設定画面内に表示される画像表示制御ツールバーとしてのボタン６０２および７０２とで構成される。この画像表示制御ツールバーボタン６０２および７０２は常に表示されており、具体的にはツールバーのアイコンをマウスでクリックすると、前述したスライドショーの開始、停止、一時停止等の制御を行う。
【００３６】
一方、表示機器においては、前述の図３でも説明したように、機器判別情報登録部３０３がネットワーク設定のための各種の情報を登録している。以下では、表示機器側の通信設定画面をネットワーク設定画面として説明する。
【００３７】
図８は図１における表示機器のネットワーク設定画面を表わす図である。図８に示すように、表示機器の機器判別情報登録部３０３は、表示機器通信設定画面８０１でネットワーク設定にあたり、ＩＰアドレス（ｘｘｘ．ｘｘｘ．ｘｘｘ．ｘｘｘ．）８０１Ａやサブネットマスク（ｘｘｘ．ｘｘｘ．ｘｘｘ．ｘｘｘ．）８０１Ｂおよび機器名（プロジェクタ００１）８０１Ｃを設定する。
【００３８】
このように、前述した図２，図６，図７より明らかなように、制御ＰＣ１０１から送信される送信データ６０５,７０６は、画像データ生成部２０２で生成される画像データと、機器データ生成部２０３で生成される機器データと、送信データ生成部２０４で画像データ,機器データを結合する際に生成されるデータ構成情報とから生成される。
【００３９】
ここで、前述した「データ構成情報」とは、例えば図６（ｂ）のデータ６０３，６０４等におけるデータの構成情報であり、その具体例をデータ６０３について説明する。この「データ構成情報」は、データの先頭を表わす「ヘッダ情報」と、機器データ部分のデータサイズを示す「機器データサイズ情報」と、画像データ部分のデータサイズを示す「画像サイズ情報」と、その他データに関する任意の「付加情報」とで構成される。なお、「付加情報」は、拡張機能であり、任意に設定することができ、また使用しなくともよい。
【００４０】
次に、本実施例における画像伝送システムの表示機器側および制御ＰＣ側の設定・転送動作について図９および図１０を参照して説明する。
【００４１】
図９は図１において表示機器側の送信画像の設定操作手順を説明する動作フロー図である。図９に示すように、表示機器側の設定に当たっては、まず有線もしくは無線ネットワーク１０６の通信に必要なＩＰアドレス、サブネットマスク等の設定を行う（ステップ９０１）。次に、表示機器１０２〜１０５は、それぞれ前述した制御ＰＣ１０１の設定ユニット２０１の表示機器設定画面４０１および送信画像設定画面６０１や７０１に表示するための機器名設定を行う（ステップ９０２）。
【００４２】
図１０は図１において制御ＰＣの送信画像の設定操作手順を説明する動作フロー図である。図１０に示すように、まず画像を送信する表示機器を設定する（ステップＡ０１）。すなわち、表示機器に設定したＩＰアドレスを登録し、前述した図４の表示機器一覧画面４０１における表示機器情報４０１Ａの左端のボックスにチェックをつけることにより、画像を送信する対象機器として選択し、制御ＰＣ側で登録する。
【００４３】
次に、前述した図５のスライドショー設定画面５０１を用いて、画像の送信方法および画像の再生方法を設定するスライドショー設定を行う（ステップＡ０２）。この送信方法の選択においては、複数の機器全てに共通の画像を送信するか、あるいは機器毎に異なる画像を送信するかを選択する。また、再生方法の選択においては、画像再生切替を自動的に行うか、ユーザ操作によって行うかを選択する。ここで、画像再生切替を自動的に行う場合には、切替時間間隔を設定する。
【００４４】
また、上述した実施例では、切替時間間隔を設定して行う例を説明しているが、切換時刻を設定して画像再生を自動的に行うようにしても、本発明を同様に実現することができる。
【００４５】
次に、それぞれの表示機器に送信する画像および画像表示順を設定する画像設定を行う（ステップＡ０３）。前述した図５の送信方法にて共通データ送信を選択した場合は、図６の画像設定画面６０１が表示される。送信方法にて機器別データ送信を選択した場合は、図７の画像設定画面７０１が表示される。
【００４６】
ここでは、機器別データ送信を選択した場合について説明する。したがって、図７（ａ）を参照すると、画像設定画面７０１は、前述したように、選択した表示機器の機器名７０１Ａと、表示機器毎に送信する画像を並べる送信画像登録部７０１Ｂと、操作ＰＣ内にある画像を一覧表示する画像一覧表示部７０１Ｃとで構成される。この画像一覧表示から画像を選択し、送信画像登録部へマウス等でドラッグして表示する順番に並べることにより、各表示機器に送信する画像を設定する。
【００４７】
最後に、画像設定（ステップＡ０３）で設定した画像の再生、すなわち画像転送実行を行う（ステップＡ０４）。前述したように、画像表示制御ツールバー７０２は再生ボタン，停止ボタン，一時停止ボタンによって構成される。再生方法選択にて自動送りを選択した場合には、再生ボタンをマウス等でクリックすることにより自動再生の画像送信を開始する。画像送信後、切り替え時間が経過すると、次の画像を送信する。画像再生中に一時停止ボタンをクリックすると、画像送信を一時中止し、再度クリックすると画像送信を再開する。画像再生中に停止ボタンをクリックすると、画像送信を中止する。
【００４８】
次に、画像送信を行うときの制御ＰＣの具体的動作について、図７を参照してより詳細に説明する。
【００４９】
図７（ａ）のような設定がなされている状態で画像再生ボタンがクリックされた場合、機器名「プロジェクタ００１」１枚目の画像（Ａ−１）「Ｐ０１」という情報が設定ユニット２０１から画像データ生成部２０２および機器データ生成部２０３に送られる。この画像データ生成部２０２で生成された画像データおよび機器データ生成部２０３で生成された機器データは、送信データ生成部２０４に送られ、送信データ生成部２０４にて送信データに合成される。しかし、このＡ−１の画像は別の表示機器にも送信するので、生成された送信データはデータバッファ部２０５に送られ、一時的に保存される。
【００５０】
次に、機器名「プロジェクタ００２」１枚目の画像（Ｂ−１）「Ｐ０１」という情報が設定ユニット２０１から画像データ生成部２０２および機器データ生成部２０３に送られる。これら画像データ生成部２０２で生成された画像データおよび機器データ生成部２０３にて生成された機器データは、送信データ生成部２０４に送られる。ここで、Ｂ−１の画像はＡ−１の画像と同じ画像であるので、データバッファ部２０５に保存されているＡ−１のデータを読み出し、機器データに「プロジェクタ００２」というデータを追加する。Ａ−１の画像はさらに別の表示機器にも送信するので、再びデータバッファ部２０５に送られ、一時的に保存される。
【００５１】
最後に、機器名「プロジェクタ００３」１枚目の画像（Ｃ−１）「Ｐ０１」という情報が設定ユニット２０１から画像データ生成部２０２および機器データ生成部２０３に送られる。これら画像データ生成部２０２で生成された画像データおよび機器データ生成部２０３で生成された機器データは、同様に送信データ生成部２０４に送られる。ここで、Ｃ−１の画像はＡ−１の画像と同じ画像であるので、データバッファ部２０５に保存されているＡ−１のデータを読み出し、機器データに「プロジェクタ００３」というデータを追加する。
【００５２】
このようにして画像を転送すると、Ａ−１の画像を送信する表示機器は残っていないので、Ａ−１のデータはデータ送信部２０６に送られる。最後にデータ送信部２０６からネットワークを通して表示機器に画像データ７０３が送信される。
【００５３】
一方、再生方法の選択で自動送りが選択されている場合、設定された切り替え時間が経過すると、次の画像を順次送信する。以下には、各表示機器の３枚目の画像が送信されるときの制御ＰＣの動作を説明する。
【００５４】
まず、機器名「プロジェクタ００１」３枚目の画像（Ａ−３）「Ｐ０３」という情報が設定ユニット２０１から画像データ生成部２０２および機器データ生成部２０３に送られる。これら画像データ生成部２０２で生成された画像データおよび機器データ生成部２０３にて生成された機器データは、送信データ生成部２０４に送られ、送信データ生成部２０４にて送信データが生成される。しかるに、Ａ−３の画像を送信する表示機器は残っていないので、Ａ−３のデータは画像データ７０４としてデータ送信部２０６に送られる。この結果、データ送信部２０６からネットワーク１０６を通して表示機器に画像データ７０４が送信される。
【００５５】
次に、機器名「プロジェクタ００２」３枚目の画像（Ｂ−３）「Ｐ０７」という情報が設定ユニット２０１から画像データ生成部２０２および機器データ生成部２０３に送られる。これら画像データ生成部２０２で生成された画像データおよび機器データ生成部２０３にて生成された機器データは、送信データ生成部２０４に送られ、送信データ生成部２０４にて送信データが生成される。このＢ−３の画像は別の表示機器にも送信するので、生成された送信データはデータバッファ部２０５に送られ、一時的に保存される。次に、機器名「プロジェクタ００３」３枚目の画像（Ｃ−３）「Ｐ０７」という情報が設定ユニット２０１から画像データ生成部２０２および機器データ生成部２０３に送られる。これら画像データ生成部２０２で生成された画像データおよび機器データ生成部２０３にて生成された機器データは、送信データ生成部２０４に送られる。ここで、Ｃ−３の画像は、Ｂ−３の画像と同じ画像であるので、データバッファ部２０５に保存されているＢ−３のデータを読み出し、機器データに「プロジェクタ００３」というデータを追加する。このＢ−３の画像を送信する表示機器は残っていないので、Ｂ−３のデータは画像データ７０５としてデータ送信部２０６に送られる。最後に、データ送信部２０６からネットワークを通して表示機器に画像データ７０５が送信される。
【００５６】
このように、順次送信される画像データをまとめて表示すると、送信データ列７０６のようになる。
【００５７】
最後に、この制御ＰＣから送信された画像データを受信した場合の表示機器の動作を図３を参照して説明する。この制御ＰＣ１０１から送信された画像データ７０６はデータ受信部３０１で受信される。受信されたデータはデコード部３０２に送られ、機器データと画像データに分けられる。この結果、機器判別情報登録部３０３に保存されている機器情報と受信データの機器データとを比較し、一致した場合には画像データのデコードを行う。デコードされた画像データは画像表示部３０４に送られ、画面上に表示される。要するに、それぞれの表示機器がデータ入力から機器判別を行い、一致すれば、それぞれが画像データの取り込みを行う。
【産業上の利用可能性】
【００５８】
本発明は、ネットワークを使用した会議システムや自動プレゼンテーションシステム全般に適用することができる。
【図面の簡単な説明】
【００５９】
【図１】本発明の概要を説明するための画像伝送システムのブロック図である。
【図２】本発明の実施例を説明するための制御パソコンのブロック構成図である。
【図３】本発明の実施例を説明するための表示機器のブロック構成図である。
【図４】図１,図２における制御パソコンの表示機器一覧画面を表わす図である。
【図５】図１,図２における制御パソコンのスライドショー設定画面を表わす図である。
【図６】図１における表示機器に共通のデータを送信するときの制御パソコンの画像設定画面，送信画像登録部のデータ構成および送信データフォーマットを表わす図である。
【図７】図１における表示機器に異なるデータを送信するときの制御パソコンの画像設定画面，送信画像登録部のデータ構成および送信データフォーマットを表わす図である。
【図８】図１における表示機器のネットワーク設定画面を表わす図である。
【図９】図１において表示機器側の送信画像の設定操作手順を説明する動作フロー図である。
【図１０】図１において制御ＰＣの送信画像の設定操作手順を説明する動作フロー図である。
【符号の説明】
【００６０】
１０１    制御パソコン（制御ＰＣ）
１０２〜１０５    表示機器
２０１    設定ユニット
２０２    画像データ生成部
２０３    機器データ生成部
２０４    送信データ生成部
２０５    データバッファ
２０６    データ送信部
３０１    データ受信部
３０２    デコード部
３０３    機器判別情報登録部
３０４    画像表示部
４０１    表示機器一覧画面
５０１    スライドショー設定画面
６０１，７０１    画像設定画面
６０２，７０２    機器毎の操作ボタン
６０３，６０４，７０３〜７０５    データ構成フォーマット
６０５，７０６    送信データフォーマット
８０１    表示機器通信設定画面
【図１】
2005051555.tif 000003
【図２】
2005051555.tif 000004
【図３】
2005051555.tif 000005
【図４】
2005051555.tif 000006
【図５】
2005051555.tif 000007
【図６】
2005051555.tif 000008
【図７】
2005051555.tif 000009
【図８】
2005051555.tif 000010
【図９】
2005051555.tif 000011
【図１０】
2005051555.tif 000012